(57)【要約】【課題】乾燥時に、洗濯兼脱水槽の回転に伴い外気を機体内に吸入する外気導入手段を備えたものにおいて、外気導入手段が有する吸気路に対し、十分な通気性を確保しながら異物の侵入を防止する。【解決手段】洗濯兼脱水槽１０の回転に伴い、蓋体６に設けた外気導入手段１８を経て吸入した外気（風）に基づき洗濯物を乾燥可能としたものにおいて、前記外気導入手段１８は、多数の吸気穴２１ａを有する吸気口部２１と、その上方を覆うように設けられた吸気口カバー部２２と、これら吸気口部２１と吸気口カバー部２２との間に機外に連通して形成された吸気路２４とから構成するとともに、前記吸気穴２１ａの上流側で、且つ前記吸気路２４の下部側に位置して、異物の侵入を止める衝止壁部２９（異物侵入防止部）を設けた構成とする。【選択図】図１
2010029447.tif 000002
【特許請求の範囲】
【請求項１】
機体内に設けられ回転可能な洗濯兼脱水槽と、該洗濯兼脱水槽の上方にあって機体の上面に開閉可能に設けられた蓋体と、この蓋体に設けられ外気を吸入可能とした外気導入手段を備え、前記洗濯兼脱水槽の回転に伴い、前記外気導入手段を経て吸入した外気に基づき洗濯兼脱水槽内の洗濯物を乾燥するようにしたものにおいて、
前記外気導入手段は、多数の吸気穴を有する吸気口部と、その上方を覆うように設けられた吸気口カバー部と、これら吸気口部と吸気口カバー部との間の空間を機外に連通してなる吸気路とから構成するとともに、前記吸気穴の上流側で、且つ前記吸気路の下部側に位置して、異物の侵入を止める異物侵入防止部を具備したことを特徴とする洗濯機。
【請求項２】
異物侵入防止部は、吸気口カバー部で覆われる下方に配置したことを特徴とする請求項１記載の洗濯機。
【請求項３】
異物侵入防止部は、吸気路の機外側の入口近傍に配置したことを特徴とする請求項１又は２記載の洗濯機。
【請求項４】
吸気口部が有する吸気穴は、円弧状のスリットにより形成したことを特徴とする請求項１ないし３のいずれかに記載の洗濯機。
【発明の詳細な説明】
【技術分野】
【０００１】
本発明は、洗濯兼脱水槽の回転に伴い導入した外気に基づき、洗濯物を乾燥可能とした洗濯機に関する。
【背景技術】
【０００２】
従来、例えば縦軸周りに回転可能とした洗濯兼脱水槽を備えた洗濯機では、洗濯兼脱水槽を高速回転させると洗濯兼脱水槽の内方側が負圧となり、その上方に配置された蓋体に設けられた通気口から外気を吸入することができる。この外気の流れである風を利用して、洗濯兼脱水槽内の洗濯物に当てることで、脱水後の洗濯物に対し熱風を用いない簡易な乾燥を可能としている。更には、上面が開放状態の上記通気口からヘアピンなどの異物が侵入するおそれがあるため、該通気口を覆い一側部を開口したカバー部材を設けた構成としている（例えば、特許文献１参照）。
【特許文献１】特開２００５−３２９０４５号公報
【発明の開示】
【発明が解決しようとする課題】
【０００３】
ところが、上記カバー部材で覆う構成にあっても、外気が導入される開口部からヘアピン等の小物の異物が侵入するおそれがある。従って、長期放置しておけば異物が溜まり通気性が阻害される。そこで、異物の侵入があった場合、その都度カバー部材を着脱操作して取り除いたり、或は吸気用の開口部にフィルタ部材を設けて侵入防止を図っていた。
【０００４】
しかしながら、前者のその都度カバー部材を着脱することは一般家庭で行うことは必ずしも容易ではなく取扱いが面倒である。また、後者のフィルタ部材を設けてなる侵入防止は確実に成果が得られると思われるが、これらフィルタ部材及び通気口を経て外気を機体内に吸入するには通気抵抗が大きくなり、例えば外気の吸入量が減少すれば乾燥性能が低下し、或は乾燥時間が長くなるなどの問題を有する。
【０００５】
本発明は上記問題を解消するため、外気の吸入量を十分に確保して乾燥性能の低下を抑えながら、簡易な手段にて異物の侵入を防止できる洗濯機を提供することを目的とする。
【課題を解決するための手段】
【０００６】
上記目的を達成するために、本発明の洗濯機は、機体内に設けられ回転可能な洗濯兼脱水槽と、該洗濯兼脱水槽の上方にあって機体の上面に開閉可能に設けられた蓋体と、この蓋体に設けられ外気を吸入可能とした外気導入手段を備え、前記洗濯兼脱水槽の脱水回転に伴い、前記外気導入手段を経て吸入した外気に基づき洗濯兼脱水槽内の洗濯物を乾燥するようにしたものにおいて、
前記外気導入手段は、多数の吸気穴を有する吸気口部と、その上方を覆うように設けられた吸気口カバー部と、これら吸気口部と吸気口カバー部との間の空間を機外に連通してなる吸気路とから構成するとともに、前記吸気穴の上流側で、且つ前記吸気路の下部側に位置して、異物の侵入を止める異物侵入防止部を具備したことを特徴とする（請求項１の発明）。
【発明の効果】
【０００７】
上記手段によれば、異物侵入防止部は吸気路の下部側に配置したので、吸気路内に落下物などの異物が容易に侵入するのを阻止できる。また、吸気路の上部は開放できるので、通気性は良好で十分な外気の吸入が得られ、良好な乾燥作用が期待できる洗濯機を提供できる。
【発明を実施するための最良の形態】
【０００８】
（第１の実施形態）
以下、本発明の第１実施例を示す、図１ないし図４を参照して説明する。
まず、図１は洗濯機全体の構成につき要部を破断して示す側面図で、洗濯機の外郭を形成する機体１は、機体1の底部を構成する台板２と、これに載置結合した箱形筒状の外箱３、及びこの外箱３の上面を塞ぐように載置結合したトップカバー４とから構成されている。
トップカバー４には、運転コース等の入力設定や洗濯機の運転全般を制御する制御装置を有する操作部５、及び詳細は後述するが折畳み式の蓋体６を備えており、蓋体６はトップカバー４に形成された洗濯物投入口７を開閉する。
【０００９】
また、外箱３内には洗濯機の機構部が配設され、実質的に無孔状で貯水可能とする有底筒状の水槽８が複数本（１本のみ図示）の吊り棒装置９により弾性支持され、この水槽８の内部には同形状で縦軸周りに回転可能な洗濯兼脱水槽１０が配設されている。そのうちの水槽８には、底部に排水ホース１１が接続され、途中に設けた排水弁１２の開閉により、貯水若しくは機外への排水を切替可能とし、また上部の上端開口縁部には環状の槽カバー１３を装着している。
【００１０】
一方、洗濯兼脱水槽１０には、周壁部に脱水用及び通気用の透孔１４を多数形成しており、内底部には、洗い動作用の撹拌体１５を回転可能に配設し、この撹拌体１５と洗濯兼脱水槽１０とを洗い時と脱水時及び乾燥時に関して選択的に切り替え回転駆動する駆動装置１６は、例えばアウターロータ形のモータを主体とし、水槽８の外底面側に配設している。また、上部の上端開口縁部の内周にはバランサ１７を装着している。
【００１１】
斯くして、水槽８及び洗濯兼脱水槽１０の上端開口部は、前記投入口７と対応した連通状態にあり、これを蓋体６で開閉自在に覆った構成となる。
ここで、前記蓋体６の具体構成につき、更に図２ないし図４も参照して説明する。そのうち、図２は開蓋状態の洗濯機上半部を示す斜視図、図３は閉蓋状態の洗濯機上半部を一部分解して示す斜視図で、図４は要部を拡大して示す断面図である。
【００１２】
本実施例の蓋体６には、その閉蓋状態にあって外気を機体１内に取り込むことを可能とする外気導入手段１８、及びこの外気導入手段１８に関連して異物侵入防止部を設けた構成としているが、まず蓋体６の基本的構成から説明する。この蓋体６は、二つ折り可能な後蓋６ａと前蓋６ｂとからなり、その後蓋６ａの後端部をトップカバー４に上下回動可能に枢着し、一方互に回動可能に連結された前蓋６ｂと後蓋６ａは、略直線状をなす状態から下方に折畳む側においてのみ回動可能としている。
従って、図２に示す開蓋状態のほかに、この状態から前蓋６ｂを前方に倒すように回動し、後蓋６ａと重ね合わすように折り畳むことを可能としている。このような、蓋体６の開閉操作の使い勝手を可能とするため、前蓋６ｂ側に、ひさし状の手掛け部１９を備えて開閉操作を可能としている。
【００１３】
これに対し、後蓋６ａに備えている前記した外気導入手段１８と、その関連構成につき述べると、特に図４の断面図に示すように、後蓋６ａの中央部に上面を開放した矩形容器状の凹所２０を形成し、この凹所２０の底部に多数の吸気穴２１ａを有する吸気口部２１を一体に形成している。なお、吸気穴２１ａは、本実施例では例えば小円形状をなし、異物として、例えば通常の硬貨Ａ（図中、二点鎖線で示す）が通過しない径小の形状としており、吸気口部２１は容器状の凹所２０を援用した構成としている。
【００１４】
これに対し、凹所２０の上面開放部には、これを閉鎖状態に覆う断面Ｌ字状をなす無孔状の吸気口カバー部２２が被着される。この吸気口カバー部２２は、少なくとも前記吸気穴２１ａを覆い、その後端部において凹所２０の後方側の一側部のみ開放状態に保持される構成としている。
【００１５】
この結果、凹所２０の後方には上方（上面側）に開口した開放口２０ａが形成され、また吸気口カバー部２２の後方端部には、一側部たる後方（側方）に開口した吸気用開口部２３が続いて形成される。なお、この吸気用開口部２３は吸気口カバー部２２の後端部と、その直下の凹所２０の底部との間に形成され、後述する吸気路２４の外気の入口に相当する。
【００１６】
しかして、凹所２０には底部側の吸気口部２１と、その上方に配置された吸気口カバー部２２との間に形成された空間が、後方の吸気用開口部２３及び開放口２０ａを通して機外に連通してなる吸気路２４が形成され、以って外気は、図４中の矢印で示すようように流れ、吸気路２４を経て吸気穴２１ａから機体１内に取り込むことが可能な外気導入手段１８として構成される。
【００１７】
なお、前記吸気口カバー部２２の取付手段としては、本実施例では吸気口カバー部２２の前端部の垂下部２２ａを、凹所２０の前端部の側壁２０ｂとを重ね合わせ、且つ両者間に形成した凸部２５と凹部２６とを係脱可能に係合する。一方、吸気口カバー部２２の後端部の左右両側に脚部２２ｂを有していて、その下端部に形成された角穴２７が、凹所２０底部側に突設された突起２８に係脱可能に係合する。これにより、吸気口カバー部２２は、凹所２０に対して着脱可能で、後蓋６ａの上面と面一（フラット）に被着され、上記したように吸気路２４を構成するものである。
【００１８】
次いで、同じく後蓋６ａ側に設けた前記異物侵入防止部について説明すると、この異物侵入防止部は、硬貨Ａなどの小物の異物が吸気路２４の奥内に侵入するのを防止しようとするものである。すなわち、図４に示すように後蓋６ａには凹所２０の開放口２０ａが上方に開口していることもあって、硬貨Ａなどの小物を洗濯機上面に落としたとき、該開放口２０ａに落ち込み易く、吸気路２４の奥内に侵入するおそれがある。
【００１９】
そこで、本実施例では吸気路２４を形成する入口である吸気用開口部２３の近傍の下部側に、異物侵入防止部として機能する衝止壁部２９を形成した。この衝止壁部２９は、吸気口部２１の後端部から略垂直に垂下する構成にあって、該衝止壁部２９の下端部は凹所２０の底部として吸気口部２１の位置より一段と低い凹陥部２０ｃに連続して形成されている。
なお、衝止壁部２９は吸気用開口部２３より若干吸気路２４の内方側に位置していて、トップカバー４（或は蓋体６）の上方からは見えない位置に設けられている。しかして、略垂直な衝止壁部２９の詳細な作用については後述するが、落ち込んだ硬貨Ａなどの異物をここで止めることができ、更に吸気路２４の奥内への侵入を防止するものである。
【００２０】
次に、上記構成の作用について述べる。
通常、標準的な自動運転コースでは、洗い、中間脱水、すすぎ、最終脱水、そして乾燥の各行程が自動的に行われる。そのうちの、乾燥行程について述べると、乾燥時には洗濯兼脱水槽１０を高速回転、例えば９００〔ｒｐｍ〕の回転速度で回転させる。すると、遠心力により、洗濯兼脱水槽１０内の空気が水とともに透孔１４から水槽８側に放出されることにより、それに応じた量の空気が外気導入手段１８を介して機外から導入される。すなわち、外気は凹所２０の開放口２０ａ、吸気用開口部２３、吸気口部２１の吸気穴２１ａを通じて洗濯兼脱水槽１０内に吸入される。
【００２１】
そして、この洗濯兼脱水槽１０内に取り込まれた外気は、主に図１に矢印で示すように図示しない洗濯物と接触した後、洗濯兼脱水槽１０の透孔１４から排出され、その際生じる空気流、つまり風となって流れる。この風により、洗濯物の乾燥作用が促進される。なお、この場合、洗濯兼脱水槽１０から排出された風は、該脱水槽１０と水槽８との間を上昇し、槽カバー１３から排出された後、水槽８と外箱３との間を通り、台板２の底部の開放口（図示せず）や、機体１の組立上の接合部位など適宜の隙間から機外に排出される。
【００２２】
このように風による簡易な乾燥機能を有するものにあって、蓋体６に設けられた外気導入手段１８は、無孔状の吸気口カバー部２２で覆われた構成であるため、吸気口部２１の吸気穴２１ａが不用意に直接洗濯物などで塞がれたり、ごみやほこり等で詰まることが防止できる。
【００２３】
しかるに、吸気口カバー部２２の一側部たる後端部で開放しているので、必要な外気の吸入は、凹所２０の開放口２０ａ、吸気路２４の入口である吸気用開口部２３、及び吸気口部２１の吸気穴２１ａから洗濯兼脱水槽１０内に取り込むことができる。この場合、凹所２０の開放口２０ａは比較的小さな開口面積とすることも可能であるが、上方に開口していることから異物が落ち込み易い。
【００２４】
ところが、本実施例によれば吸気用開口部２３の近傍で下部側に位置して、吸気口部２１の後端部から略垂直に垂下する衝止壁部２９を形成しているので、開放口２０ａから落下した硬貨Ａなどの異物は、凹所２０の底部を滑落し吸気穴２１ａの上流側である吸気路２４の入口側において、この垂直な衝止壁部２９にて受け止められ、それ以上の侵入を阻止する異物侵入防止部として機能する。しかるに、この衝止壁部２９は、凹所２０の底部を一層低く（深く）した凹陥部２０ｃに連続して形成され、つまり吸気用開口部２３の開口面積を何ら絞ることなく形成されているので、通気性に優れ所望の吸気量をスムーズに吸入でき、延いては良好な乾燥作用を得ることができる。
【００２５】
なお、衝止壁部２９で吸気路２４の奥内への侵入を阻止された異物は、吸気路２４の入口である吸気用開口部２３の近傍の下部に位置していることから、凹所２０の開放口２０ａから視認することが可能であり、或は手指を挿入することで容易に確認でき、且つ容易に取り除くことができるとともに、異物が硬貨Ａなどの小物であれば、これが溜まった状態でも外気の通気性は実質的に何ら阻害されることはない。従って、異物が衝止壁部２９を乗り越えて吸気路２４の内方に侵入するケースは大幅に減少し、それだけ吸気口カバー部２２を着脱する操作も少なくて済む。
【００２６】
上記実施例によれば、次の効果を有する。
蓋体６に設けた外気導入手段１８により、洗濯兼脱水槽１０の回転に伴い吸入する外気（風）に基づき洗濯物を良好に乾燥することができる。そして、この外気導入手段１８を、後蓋６ａの凹所２０を利用して形成した多数の吸気穴２１ａを有する吸気口部２１と、これを覆うように設けられた吸気口カバー部２２と、これら両部材２１，２２間に形成され、一側部たる後端部が外気に連通した吸気路２４とから構成するとともに、前記吸気穴２１ａの上流側で、且つ前記吸気路２４の下部側に位置して、略垂直な衝止壁部２９を設ける構成とした。
【００２７】
これにより、硬貨Ａ（図４参照）などの小物の異物が吸気穴２１ａの上流側における衝止壁部２９にて止められ、吸気路２４の奥内への侵入を防止でき、該吸気路２４や吸気穴２１ａが塞がれることがない。しかも、吸気路２４の下部側に衝止壁部２９を設ける構成なので、滑落してくる異物を有効に受け止めるばかりか、吸気路２４の外気の入口である吸気用開口部２３の通気性を妨げることがなく、十分な吸気量を確保できる異物侵入防止部を提供できる。当然、外気は機体１内たる洗濯兼脱水槽１０内にスムーズに吸入でき、延いては効率のよい乾燥性能が期待できる。
【００２８】
また、衝止壁部２９は吸気口カバー部２２の下方の覆われる位置に配置したので、後蓋６ａと面一な吸気口カバー部２２で覆う構成となり、外観意匠も良好に保持できる。加えて、衝止壁部２９を吸気路２４の外気の入口である吸気用開口部２３近傍に配置したので、該衝止壁部２９にそれ以上の侵入を止められた異物を取り除くことが容易にできる。従って、異物が吸気路２４の奥内に侵入するケースは大幅に減少し、吸気口カバー部２２を頻繁に着脱する面倒な操作も不要となり、取扱い性も良好となる。
【００２９】
上記実施例に対し、図５ないし図１２は本発明の第２ないし第４実施例を示すもので、第１実施例と実質的に同一部分には同一符号を付して説明を省略し、異なる部分についてのみ述べる。
【００３０】
（第２の実施の形態）
まず、図５ないし図９は第２実施例を示すもので、図５は図１相当図、図６は図２相当図、図７は図３相当図、図８は吸気口カバー部を取り除いた状態の洗濯の平面図、及び図９は図４相当図である。このものは、第１実施例とは外気導入手段３０及び異物侵入防止部の構成において異なり、その他は実質的に共通の構成としている。
【００３１】
そのうち、まず外気導入手段３０について述べると、乾燥運転時における機体１内に取り込む外気の流れは、図５及び図９中の矢印で示すように吸気路２４を通じて吸入され、第１実施例と実質的に同じである。ただ、本実施例では吸気路２４の下部側を構成する吸気口部３１が、円弧状のスリットからなる吸気穴３１ａを有する構成としている点で異なる。
【００３２】
具体的には、この円弧状の吸気穴３１ａは、図８に示すように破線で示す洗濯兼脱水槽１０の回転中心点Ｃと同心で描く円周上に円弧状のスリットを展開して形成したもので、該吸気穴３１ａも硬貨Ａ（図９参照）などが通過しない範囲でスリット幅としているが、円弧状であるため硬貨Ａなどの厚みを越えたスリット幅とすることができ、更には必要に応じ円弧状のスリット長さを長くするなどして、所望の通気性を確保することができる。なお、図８中に示す破線矢印Ｒは、洗濯兼脱水槽１０の乾燥時の回転方向を示す。
【００３３】
次いで、本実施例に示す異物侵入防止部について述べるに、上記第１実施例では凹所２０の段差を呈する底壁部を利用したのに対し、このものは、特には図９に明示するように、上記吸気口部３１と連続した平坦形状にある凹所３２の底部から、略直立に上方に向かって板状の衝止リブ３３を立設した構成としている。この場合、衝止リブ３３の高さは、吸気用開口部２３の下方部分の約１／３程度を占める範囲とし、その上方は大きく開口している。なお、吸気口カバー部２２は、吸気口部３１を覆うように、凹所３２の側壁３２ｂや吸気口カバー部２２の脚部２２ｂなどにおいて、第１実施例と同様に係脱可能に構成されている。
【００３４】
斯くして、まず上記構成の外気導入手段３０によれば、既述の如く異なる開口形状（円弧状）の吸気穴３１ａであるが、第１実施例と同様の空気の流れによる乾燥運転が実行される（図５、図９中の矢印参照）。しかるに、図８にて開示したように、吸気穴３１ａが洗濯兼脱水槽１０の中心点Ｃを共通にした円周上に配置された円弧状のスリットであるため、洗濯兼脱水槽１０の破線矢印Ｒ方向（以下、回転方向Ｒという）の回転に伴い、吸引される空気流（風）も同方向に引っ張られ、図５中に破線矢印で示すように渦を巻くようにして内方に取り込まれる。
【００３５】
従って、その渦巻き傾向は洗濯兼脱水槽１０の直上に位置する多数の吸気穴３１ａにも波及することとなり、これが吸気穴３１ａの円弧状と方向性が一致し、吸気路２４からの外気の吸引作用を促進し、洗濯兼脱水槽１０側に効果的に取り込むことができ十分な吸気量を確保できる。しかも、この勢いのよい空気流、つまり風を得ることができるので、風の接触も良好で、より乾燥性能の向上が期待できる。
【００３６】
ただし、吸気穴３１ａの円弧状のスリット形状は、洗濯兼脱水槽１０の中心点Ｃに必ずしも一致させる必要はなく、且つ実際に弾性支持されている構成からも現実的でない。依って、少なくとも洗濯兼脱水槽１０の回転方向Ｒと略同方向の円弧状をなすスリット形状であれば、やはり渦巻き流に対応した上記同様の作用効果を得ることができる。また、円弧状の曲率半径を小さくしてスリット幅を大きくするなどしても、硬貨Ａなどの異物の通過を阻止しながら上記同様の効率的な吸引作用を得ることができるなど、種々変更した形状にて効果的な通気性を得ることが可能である。
【００３７】
これに対し、異物侵入防止部としての衝止リブ３３の作用効果につき述べると、これは凹所３２の底部から吸気路２４内を臨むように略垂直に起立状態に形成されているので、凹所３２の上面の開放口３２ａに落ち込んだ異物、或は滑落してきた異物は衝止リブ３３により確実に受け止められ、それ以上の吸気路２４の奥内への侵入は防止される。また、衝止リブ３３は、吸気路２４の入口である吸気用開口部２３に対し、その下部側の高さの約１／３を占める大きさであるため、その上方は完全に開口状態にあって十分な吸気量を確保できる。しかも、本実施例では上記した如く円弧状の吸気穴３１ａであるが故、渦巻き傾向の吸気流に基づき外気の吸引効率がよいことからも、該衝止リブ３３が１／３以上の高さにあっても必要十分な通気性を確保できる。
【００３８】
（第３の実施の形態）
図１０は、第３実施例を示す図３相当図である。
このものは、特に上記第２実施例とは同一の外気導入手段３０を有する点で類似していることから、この第２実施例と対比して異なる点につき述べることとする。すなわち、外気導入手段３０については、既述の如く（図８参照）円弧状のスリットからなる吸気穴３１ａを備えた吸気口部３１などの構成と同一であるため、その詳細な説明は省略し、以下、異なる構成とする異物侵入防止部について述べる。
【００３９】
すなわち、本実施例における異物侵入防止部としては、櫛歯状リブ３４を吸気穴３１ａの上流側に立設した構成にある。この場合、櫛歯状リブ３４は千鳥状に配列した２列形態としており、それ以外は第２実施例の板状の衝止リブ３３を設けた位置など、略同一条件下のもとで一体に形成されている。
【００４０】
斯くして、上記構成によれば櫛歯状リブ３４により、図示しない硬貨などの異物を受け止め、それ以上の吸気路２４の奥内への侵入は防止できる。この場合、板状リブと異なり多数の空隙を有する櫛歯状リブ３４であるため、通気性も良好である。特に本実施例では、千鳥状の２列配置としたので、１列目の櫛歯状リブ３４ａの互いの空隙を比較的大きくしても、その空隙の中間に対応して２列目の櫛歯状リブ３４ｂが位置するので、良好な通気性を確保しながら異物の侵入を阻止できる点で有効である。
【００４１】
（第４の実施の形態）
図１１及び図１２は、第４実施例を示す、夫々図３相当図及び図４相当図である。
このものは、異物侵入防止部が、上記いずれの実施例も凹所の底部側より一体成形にて設けた構成を示したが、これに限らず、これは吸気口カバー部２２側から突設した構成を示している。従って、凹所単独の形状としては、突起部などを有しない単純な矩形容器状をなす凹所３２として形成することができる。また、本実施例も異物侵入防止部を除き、特に類似する第２実施例の構成（特に図７及び図９参照）と対比し、以下に述べる。
【００４２】
しかして、外気導入手段３０は、第２実施例と共通の構成にあって、円弧状の吸気穴３１ａを有する吸気口部３１と、吸気路２４を形成する空間を経て対峙する吸気口カバー部２２とから構成されている。そして、吸気口カバー部２２の後端部の吸気用開口部２３の近傍において、下方に垂下する枠状の垂下壁部３５を一体に形成（別体による組立も可）している。
【００４３】
従って、この場合は枠状内部の開口部３５ａが吸気路２４の一部を構成し、一方凹所３２の底部に近接した下部枠部３５ｂが異物を受け止める主体部となし、吸気穴３１ａの上流側に位置して、吸気路２４の奥内に硬貨Ａ（図１２参照）などの異物が侵入するのを阻止する異物侵入防止部として機能する。
【００４４】
その他、本発明は上記し且つ図面に示した各実施例に限定されるものではなく、例えば外気導入手段を構成する多数の吸気穴を有する吸気口部を、蓋体と一体に構成するに限らず別体構成として組み込む構成としてもよい。この場合、吸気口カバー部を蓋体と一体構成としてもよいし、或はこれも別体として、つまり外気導入手段全体をユニット化して、これを蓋体に組み込む構成とすることも可能である。従って、吸気路の入口近傍に設ける異物侵入防止部も、上記構成に応じて外気導入手段又は蓋体のいずれかに適宜形成するようにすればよい。なお、蓋体は折り畳み構成に限らず１枚の単体の構成としてもよいことはいうまでもない。
【００４５】
更に、上記各実施例では蓋体に設けた凹所を利用することで、外気導入手段や異物侵入防止部を備えた構成にあっても、蓋体の上面と面一とするフラットな構成にできて外観意匠的にも有効としているが、機能的には必ずしも凹所は必要としない。それは、上記したように外気導入手段などを蓋体の上面に突出した形態で設けることも可能であるからで、この場合、吸気路の外気の入口たる吸気用開口部は、例えば後方（側方）に向けて直接外部に開口する形態となる。また、吸気用開口部も後方に開口するに限らず、他の側部に指向して開口する形態（且つ複数箇所でも可）でもよい。その他、乾燥行程とは区分しないで脱水行程を延長した制御内容としてもよいなど、実施に際して本発明の要旨を逸脱しない範囲内で種々変更して実施できる。
【図面の簡単な説明】
【００４６】
【図１】本発明の第１実施例を示す洗濯機の要部を破断して示す側面図
【図２】開蓋状態の洗濯機上半部を示す斜視図
【図３】閉蓋状態の洗濯機上半部を、一部分解して示す斜視図
【図４】要部を拡大して示す断面図
【図５】本発明の第２実施例を示す図１相当図
【図６】図２相当図
【図７】図３相当図
【図８】吸気口カバー部を取り除いた状態の洗濯機の平面図
【図９】図４相当図
【図１０】本発明の第３実施例を示す図３相当図
【図１１】本発明の第４実施例を示す図３相当図
【図１２】図４相当図
【符号の説明】
【００４７】
図面中、１は機体、４はトップカバー、６は蓋体、６ａは後蓋、６ｂは前蓋、８は水槽、１０は洗濯兼脱水槽、１８，３０は外気導入手段、２０，３２は凹所、２０ａ，３０ａは開放口、２１，３１は吸気口部、２１ａ，３１ａは吸気穴、２２は吸気口カバー部、２３は吸気用開口部（入口）、２４は吸気路、２９は衝止壁部（異物侵入防止部）、３３は衝止リブ（異物侵入防止部）、３４は櫛歯状リブ（異物侵入防止部）、及び３５は垂下壁部（異物侵入防止部）を示す。
【図１】
2010029447.tif 000003
【図２】
2010029447.tif 000004
【図３】
2010029447.tif 000005
【図４】
2010029447.tif 000006
【図５】
2010029447.tif 000007
【図６】
2010029447.tif 000008
【図７】
2010029447.tif 000009
【図８】
2010029447.tif 000010
【図９】
2010029447.tif 000011
【図１０】
2010029447.tif 000012
【図１１】
2010029447.tif 000013
【図１２】
2010029447.tif 000014